(57)【特許請求の範囲】
【請求項１】
風船及び前記風船の口を留める留め具を有し、浮力を発生する浮力発生部と、
前記留め具に第１の線条体を介して連結され、内部に光源が収められる容器部と、
前記留め具に第２の線条体を介して連結され、該浮力発生部を係留するための係留用重りと、を備え、結婚式披露宴を演出するための室内にて使用される演出用バルーンであって、
前記容器部が、上部が開口し半透明の紙によって形成された容器であり、
前記容器部の内部に、浮上速度を調整するための浮力調整用重りを備えた演出用バルーン。
【請求項２】
請求項１記載の演出用バルーンにおいて、
前記半透明の紙が、トレーシングペーパーである演出用バルーン。
【請求項３】
請求項１記載の演出用バルーンにおいて、
前記半透明の紙が、ディフュージョントレーシングペーパーである演出用バルーン。
【請求項４】
請求項２又は３記載の演出用バルーンにおいて、
前記浮力調整用重りの厚みが、前記光源の光を遮らない寸法に設定されている演出用バ
ルーン。
【請求項５】
請求項４記載の演出用バルーンにおいて、
前記第１の線条体及び前記第２の線条体の長さが、前記浮力発生部が前記係留用重りに係留されている状態で前記容器部が床面から浮き上がるように設定されている演出用バルーン。
【請求項６】
請求項５記載の演出用バルーンにおいて、
前記光源の発光色が少なくとも２色である演出用バルーン。
【請求項７】
風船及び前記風船の口を留める留め具を有し、浮力を発生する浮力発生部と、
前記留め具に第１の線条体を介して連結され、内部に光源が収められる容器部と、を備え、イベントを演出するための室内にて使用される演出用バルーンであって、
前記容器部が、上部が開口し半透明の紙によって形成された容器であり、
前記容器部の内部に、厚みが前記光源の光を遮らない寸法に設定され、浮上速度を調整するための浮力調整用重りが投入される演出用バルーン。
【請求項８】
請求項７記載の演出用バルーンにおいて、
前記半透明の紙が、トレーシングペーパー又はディフュージョントレーシングペーパーである演出用バルーン。
【請求項９】
請求項４〜８のいずれか１項に記載の演出用バルーンにおいて、
前記浮力調整用重りが、針金によって形成された円弧状の重りである演出用バルーン。
【発明の詳細な説明】
【技術分野】
【０００１】
本発明は、演出用バルーンに関する。
【背景技術】
【０００２】
特許文献１には、加熱空気の浮力により紙製の袋状風船本体を空中に浮き上がらせる熱風船が記載されている。
この熱風船は、紙製の袋状風船本体の開口部を下向きとし、開口端部にリング状の枠体が設けられて開口状態が保持され、この枠体には開口部の中央に位置して取り付け部材を介して加熱部が取り付けられている熱風船である。袋状風船本体は水解性または水溶性の紙で形成され、枠体は水解性または水溶性の紙を用いた紙軸で形成され、取り付け部材は不燃糸または不燃性の紙撚で形成されている。
【先行技術文献】
【特許文献】
【０００３】
【特許文献１】特開２０１３−１７２８２３号公報
【発明の概要】
【発明が解決しようとする課題】
【０００４】
本発明は、室内でのイベントを効果的に演出できる演出用バルーンを提供することを目的とする。
【課題を解決するための手段】
【０００５】
請求項１に記載の発明は、風船及び前記風船の口を留める留め具を有し、浮力を発生する浮力発生部と、前記留め具に第１の線条体を介して連結され、内部に光源が収められる容器部と、前記留め具に第２の線条体を介して連結され、該浮力発生部を係留するための係留用重りと、を備え、結婚式披露宴を演出するための室内にて使用される演出用バルーンであって、前記容器部が、上部が開口し半透明の紙によって形成された容器であり、前記容器部の内部に、浮上速度を調整するための浮力調整用重りを備えた演出用バルーンである。
【０００６】
請求項２に記載の発明は、請求項１記載の演出用バルーンにおいて、前記半透明の紙が、トレーシングペーパーである。
【０００７】
請求項３に記載の発明は、請求項１記載の演出用バルーンにおいて、前記半透明の紙が、ディフュージョントレーシングペーパーである。
【０００８】
請求項４に記載の発明は、請求項２又は３記載の演出用バルーンにおいて、前記浮力調整用重りの厚みが、前記光源の光を遮らない寸法に設定されている。
【０００９】
請求項５に記載の発明は、請求項４記載の演出用バルーンにおいて、前記第１の線条体及び前記第２の線条体の長さが、前記浮力発生部が前記係留用重りに係留されている状態で前記容器部が床面から浮き上がるように設定されている。
【００１０】
請求項６に記載の発明は、請求項５記載の演出用バルーンにおいて、前記光源の発光色が少なくとも２色である。
【００１１】
請求項７に記載の発明は、風船及び前記風船の口を留める留め具を有し、浮力を発生する浮力発生部と、前記留め具に第１の線条体を介して連結され、内部に光源が収められる容器部と、を備え、イベントを演出するための室内にて使用される演出用バルーンであって、前記容器部が、上部が開口し半透明の紙によって形成された容器であり、前記容器部の内部に、厚みが前記光源の光を遮らない寸法に設定され、浮上速度を調整するための浮力調整用重りが投入される演出用バルーンである。
【００１２】
請求項８に記載の発明は、請求項７記載の演出用バルーンにおいて、前記半透明の紙が、トレーシングペーパー又はディフュージョントレーシングペーパーである。
【００１３】
請求項９に記載の発明は、請求項４〜８のいずれか１項に記載の演出用バルーンにおいて、前記浮力調整用重りが、針金によって形成された円弧状の重りである。
【発明の効果】
【００１４】
本発明によれば、室内でのイベントを効果的に演出できる演出用バルーンを提供できる。
【図面の簡単な説明】
【００１５】
【図１】本発明の一実施の形態に係る演出用バルーンの説明図である。
【図２】同演出用バルーンが備える留め具の説明図である。
【図３】同演出用バルーンが備える浮力調整用重りの説明図である。
【図４】同演出用バルーンが備える容器部の斜視図である。
【発明を実施するための形態】
【００１６】
続いて、添付した図面を参照しつつ、本発明を具体化した実施の形態につき説明し、本発明の理解に供する。なお、図において、説明に関連しない部分は図示を省略する場合が
ある。
【００１７】
本発明の一実施の形態に係る演出用バルーン１０（図１参照）は、スカイランタン（天灯）に用いる火の代わりにＬＥＤを光源とした浮上体である。演出用バルーン１０は、例えば結婚式披露宴等のイベントにおける演出用として、室内にて用いることができる。
演出用バルーン１０は、浮力発生部２０、容器部３０及び係留用重り４０を備えている。
【００１８】
浮力発生部２０は、風船２２及び留め具２４を有している。
風船２２は、内部にヘリウムガスが注入され、浮力を発生することができる。
留め具２４は、内部のヘリウムガスが漏れないように、風船２２の口２２２を留めることができる。
留め具２４は、図２に示すように、Ｕ字状に屈曲した弾性部２４２、弾性部２４２の一端部に設けられた固定部２４４及び弾性部２４２の他端部に設けられた被固定部２４６を有している。留め具２４は、固定部２４４の先端部及び被固定部２４６の先端部により構成されたスナップフィット２４８によって、図２の矢印で示すように、被固定部２４６が固定部２４４にワンタッチで容易に固定され、風船２２の口２２２を間に挟んで閉じることができる。
【００１９】
容器部３０は、図１及び図３に示すように、その内部に光を発する発光器３２が収められる。
容器部は、図４に示すように、底面３０２及び側面３０４ａ〜３０４ｄを有し、上側が開口した袋状の容器である。
容器部の幅、奥行及び高さは、それぞれ例えば、３０〜６０ｍｍ、３０〜６０ｍｍ及び６０〜１１０ｍｍである。
容器部３０は、半透明の紙によって形成されている。この紙は、トレーシングペーパーが好ましく、ディフュージョントレーシングペーパーが更に好ましい。ただし、容器部３０を形成する材料は、半透明の紙に限定されるものではなく、発光器３２による発光が外側から視認できる材料であれば任意で良い。
容器部３０には、側面３０４ａ〜３０４ｄの上端部がそれぞれ内側に折り返されることにより形成された折り返し部３０６ａ〜３０６ｄを有している。折り返し部３０６ａ〜３０６ｄが形成されることにより、容器部３０の上端部が補強される。
【００２０】
容器部３０は、浮力発生部２０の留め具２４に一本の第１の線条体５１を介して連結される。
第１の線条体５１の中央部は留め具２４に固定されている。
第１の線条体５１の一方の端部５１ａは、折り返し部３０６ａの外側から内側へ入り、折り返し部３０６ａの内側にて接着剤により固定されている。
第１の線条体５１の他方の端部５１ｂは、折り返し部３０６ａに対向する折り返し部３０６ｃの上端部の外側から内側へ入り、折り返し部３０６ｃの内側にて接着剤により固定されている。
【００２１】
発光器３２は、図１に示すように、ＬＥＤ（光源の一例）３２２と、ＬＥＤ３２２の駆動回路（不図示）及びバッテリ（不図示）を内部に収めた筐体３２４と、を有している。
ＬＥＤ３２２は、筐体３２４の上面に設けられる。
筐体３２４は、平面視してその外形が円形である。
発光器３２の全体の重さは、浮力発生部２０が発生できる浮力よりも軽くなるように設定されている。
【００２２】
浮力調整用重り３４は、図１に示すように、容器部３０に入れられることで演出用バルーン１０の浮上速度を調整できる。
浮力調整用重り３４は、図３に示すように、円弧状の重り３４２、直線状の重り３４３又は円弧状の重り３４４であり、それぞれ針金により形成されている。重り３４２、３４３は、容器部３０の底面３０２の上であって平面視して発光器３２の外周に沿って配置される。重り３４４は、筐体３２４の上面であってＬＥＤ３２２の周囲に配置される。
なお、重り３４２、３４３、３４４の厚みは、それぞれＬＥＤ３２２の光を遮らない寸法に設定されている。
従って、浮力調整用重り３４が発光器３２の外周に沿って配置されるため、発光器３２及び浮力調整用重り３４が入った容器部３０の重心が大きく偏ることが抑制される。
【００２３】
係留用重り４０は、図１に示すように、浮力発生部２０の留め具２４に第２の線条体５２を介して連結され、打ち上げ前の浮力発生部２０を係留することができる。打ち上げの際には、第２の線条体５２が切断される。
従って、係留用重り４０の重さは、浮力発生部２０の浮力よりも重くなるように設定されている。
係留用重り４０は、例えば釣具として使用されるカミツブシである。
第２の線条体５２の係留用重り４０が設けられた側とは反対側の端部には、連結金具が取り付けられ、この連結金具が留め具２４に連結されることが好ましい。この連結金具は、例えば、釣具として使用されるスナップである。
【００２４】
なお、前述の第１の線条体５１及び第２の線条体５２は、それぞれ例えば釣り糸である。第１の線条体５１及び第２の線条体５２の長さは、浮力発生部２０が係留用重り４０に係留されている状態において、浮力発生部２０にぶら下がった容器部３０が床面から浮き上がるように設定されている。
【００２５】
次に、演出用バルーン１０の打ち上げ方法について説明する。
演出用バルーン１０は、以下のステップＳ１〜Ｓ５に従って打ち上げられる。ただし、可能な場合には、各ステップは順番を入れ替えて実施されてもよいし、並行して実施されてもよい。
【００２６】
（ステップＳ１）
風船２２にヘリウムガスを注入する前の演出用バルーン１０を複数準備する。
【００２７】
（ステップＳ２）
ＬＥＤ３２２を点灯させ、各容器部３０に点灯した発光器３２を入れる。
ここで、ＬＥＤ３２２の発光色は少なくとも２色であることが好ましい。各容器部３０に入れるＬＥＤ３２２の発光色を例えばイエロー及びオレンジとし、イエローに発光する演出用バルーンとオレンジに発光する演出用バルーンとを混在させることで、本物の炎による光のように見え、演出効果が向上する。
【００２８】
（ステップＳ３）
各風船２２にヘリウムガスを注入し、膨らませる。
【００２９】
（ステップＳ４）
ヘリウムガスの量を調整することで、各風船２２の浮上速度を調整する。
浮力が足りず浮かない場合には、ヘリウムガスを更に注入する。一方、浮力が大きすぎる場合には、ヘリウムガスを抜く。
前述の通り、留め具２４はスナップフィット２４８によってワンタッチで開閉できるため、風船２２の口２２２から容易にヘリウムガスを注入したり抜いたりできる。
なお、ヘリウムガスを調整したにもかかわらず浮力がやや大きい場合には、容器部３０に浮力調整用重り３４を投入し、ゆっくりと浮上するように微調整できる。
【００３０】
（ステップＳ５）
予め決められたタイミングにて、浮力発生部２０と係留用重り４０とを連結していた第２の線条体５２をそれぞれ切断する。
係留用重り４０が切り離されると、発光器３２が入った容器部３０がそれぞれゆっくりと浮上し、結婚式披露宴等のイベントを効果的に演出できる。
【００３１】
以上説明した演出用バルーン１０によれば、多数の浮力発生部２０の浮力調整が容易となり、打ち上げ準備の負担が低減される。
【００３２】
以上、本発明の実施の形態を説明したが、本発明は、上記した形態に限定されるものでなく、要旨を逸脱しない条件の変更等は全て本発明の適用範囲である。
【符号の説明】
【００３３】
１０  演出用バルーン
２０  浮力発生部
２２  風船
２４  留め具
３０  容器部
３４  浮力調整用重り
４０  係留用重り
３２  発光器
５１  第１の線条体
５１ａ、５１ｂ  端部
５２  第２の線条体
２２２  口
２４２  弾性部
２４４  固定部
２４６  被固定部
２４８  スナップフィット
３０２  底面
３０４ａ〜３０４ｄ  側面
３０６ａ〜３０６ｄ  折り返し部
３２２  ＬＥＤ
３２４  筐体
３４２、３４３、３４４  重り
【要約】
【課題】浮力調整が容易な演出用バルーン及びその打ち上げ方法を提供する。
【解決手段】演出用バルーン１０は、浮力発生部２０と、浮力発生部２０に第１の線条体５１を介して連結され、内部に光源３２２が入る容器部３０と、浮力発生部２０に第２の線条体５２を介して連結され、前記浮力発生部を係留するための係留用重り４０と、を備え、浮力発生部２０が、風船２２と、風船２２の口２２２を留める留め具２４と、を有し、第１の線条体５１及び第２の線条体５２の一端部が、それぞれ留め具２４に取り付けられる。
【選択図】図１【図１】
0006739852.tif 000002
【図２】
0006739852.tif 000003
【図３】
0006739852.tif 000004
【図４】
0006739852.tif 000005